【手続補正書】
【提出日】平成16年6月22日(2004.6.22)
【手続補正１】
【補正対象書類名】明細書
【補正対象項目名】請求項１
【補正方法】変更
【補正の内容】
【請求項１】
複数のコミュニケーション端末を通信可能に接続し、前記コミュニケーション端末を用いて通信を行うコミュニケーション支援システムであって、
少なくともいずれかの前記コミュニケーション端末は、動作可能な動作体と、前記動作体を動作させたときの当該動作を検出する動作検出手段と、前記動作検出手段の検出結果に基づいて前記動作体の動作を制御する動作制御データを生成する動作制御データ生成手段と、前記動作制御データ生成手段で生成した動作制御データを他の前記コミュニケーション端末に対して出力するデータ出力手段と、前記動作制御データを入力するデータ入力手段と、前記データ入力手段で入力した動作制御データに基づいて前記動作体の動作を制御する動作体制御手段とを有することを特徴とするコミュニケーション支援システム。
【手続補正２】
【補正対象書類名】明細書
【補正対象項目名】請求項２
【補正方法】変更
【補正の内容】
【請求項２】
請求項１において、
一方の前記コミュニケーション端末における前記動作体の動作タイミングと、他方の前記コミュニケーション端末における前記動作体の動作検出タイミングとを同期させるようになっていることを特徴とするコミュニケーション支援システム。
【手続補正３】
【補正対象書類名】明細書
【補正対象項目名】請求項３
【補正方法】変更
【補正の内容】
【請求項３】
請求項１及び２のいずれかにおいて、
少なくともいずれかの前記コミュニケーション端末は、仮想的に動作可能な仮想動作体を表示する動作体表示手段を有し、
前記動作体制御手段は、前記データ入力手段で入力した動作制御データに基づいて、前記動作体の動作と同一の動作又は連動した動作となるように前記仮想動作体の動作を制御するようになっていることを特徴とするコミュニケーション支援システム。
【手続補正４】
【補正対象書類名】明細書
【補正対象項目名】請求項４
【補正方法】変更
【補正の内容】
【請求項４】
請求項３において、
前記動作体制御手段は、前記動作制御データ生成手段で生成した動作制御データに基づいて第１仮想動作体の動作を制御するとともに、前記データ入力手段で入力した動作制御データに基づいて、前記動作体の動作と同一の動作又は連動した動作となるように第２仮想動作体の動作を制御するようになっていることを特徴とするコミュニケーション支援システム。
【手続補正５】
【補正対象書類名】明細書
【補正対象項目名】請求項５
【補正方法】変更
【補正の内容】
【請求項５】
請求項３及び４のいずれかにおいて、
前記動作体表示手段は、前記仮想動作体を平面的に表示する２Ｄディスプレイ及び前記仮想動作体を立体的に表示する３Ｄディスプレイのうちいずれかであることを特徴とするコミュニケーション支援システム。
【手続補正６】
【補正対象書類名】明細書
【補正対象項目名】請求項６
【補正方法】変更
【補正の内容】
【請求項６】
請求項１乃至５のいずれかにおいて、
前記コミュニケーション端末は、前記コミュニケーション端末の動作体の種別を判定する動作体種別判定手段と、前記動作体種別判定手段の判定結果に基づいて前記データ入力手段で入力した動作制御データを変換する動作制御データ変換手段とを有し、
前記動作制御データ変換手段は、前記動作体種別判定手段の判定結果に基づいて、前記コミュニケーション端末の動作体の種別と、本コミュニケーション端末の動作体の種別とが異なると判定したときは、前記データ入力手段で入力した動作制御データを、本コミュニケーション端末の動作体用の動作制御データに変換するようになっていることを特徴とするコミュニケーション支援システム。
【手続補正７】
【補正対象書類名】明細書
【補正対象項目名】請求項７
【補正方法】変更
【補正の内容】
【請求項７】
請求項１乃至５のいずれかにおいて、
前記コミュニケーション端末は、前記コミュニケーション端末の動作体の種別を判定する動作体種別判定手段と、前記動作体種別判定手段の判定結果に基づいて前記動作制御データ生成手段で生成した動作制御データを変換する動作制御データ変換手段とを有し、
前記動作制御データ変換手段は、前記動作体種別判定手段の判定結果に基づいて、前記コミュニケーション端末の動作体の種別と、本コミュニケーション端末の動作体の種別とが異なると判定したときは、前記動作制御データ生成手段で生成した動作制御データを、前記コミュニケーション端末の動作体用の動作制御データに変換するようになっていることを特徴とするコミュニケーション支援システム。
【手続補正８】
【補正対象書類名】明細書
【補正対象項目名】請求項９
【補正方法】変更
【補正の内容】
【請求項９】
請求項１乃至８のいずれかにおいて、
前記動作制御データを蓄積する動作制御データ蓄積端末を通信可能に接続し、
前記動作制御データ蓄積端末は、前記動作制御データを記憶する動作制御データ記憶手段と、前記動作制御データ記憶手段の動作制御データを前記コミュニケーション端末に提供する動作制御データ提供手段とを有し、
前記動作制御データ提供手段は、前記動作制御データの提供要求を受信したときは、受信した提供要求に係る動作制御データを前記動作制御データ記憶手段から読み出し、読み出した動作制御データを前記提供要求の送信元となるコミュニケーション端末に送信するようになっており、
前記コミュニケーション端末は、前記動作制御データ蓄積端末から前記動作制御データを取得する動作制御データ取得手段を有し、
前記データ出力手段は、前記動作制御データ取得手段で取得した動作制御データを他の前記コミュニケーション端末に送信するようになっていることを特徴とするコミュニケーション支援システム。
【手続補正９】
【補正対象書類名】明細書
【補正対象項目名】請求項１０
【補正方法】変更
【補正の内容】
【請求項１０】
コミュニケーション端末と通信を行うコミュニケーション端末であって、
動作可能な動作体と、前記動作体を動作させたときの当該動作を検出する動作検出手段と、前記動作検出手段の検出結果に基づいて前記動作体の動作を制御する動作制御データを生成する動作制御データ生成手段と、前記動作制御データ生成手段で生成した動作制御データを他の前記コミュニケーション端末に対して出力するデータ出力手段とを備えることを特徴とするコミュニケーション端末。
【手続補正１０】
【補正対象書類名】明細書
【補正対象項目名】請求項１１
【補正方法】変更
【補正の内容】
【請求項１１】
コミュニケーション端末と通信を行うコミュニケーション端末であって、
動作可能な動作体と、前記動作体の動作を制御する動作制御データを入力するデータ入力手段と、前記データ入力手段で入力した動作制御データに基づいて前記動作体の動作を制御する動作体制御手段とを備えることを特徴とするコミュニケーション端末。
【手続補正１１】
【補正対象書類名】明細書
【補正対象項目名】請求項１２
【補正方法】変更
【補正の内容】
【請求項１２】
コミュニケーション端末と通信を行うコミュニケーション端末であって、
仮想的に動作可能な仮想動作体を表示する動作体表示手段と、動作可能な動作体の動作を制御する動作制御データを入力するデータ入力手段と、前記データ入力手段で入力した動作制御データに基づいて前記仮想動作体の動作を制御する仮想動作体制御手段とを備えることを特徴とするコミュニケーション端末。
【手続補正１２】
【補正対象書類名】明細書
【補正対象項目名】請求項１３
【補正方法】変更
【補正の内容】
【請求項１３】
コミュニケーション端末と通信可能に接続し、動作可能な動作体の動作を制御する動作制御データを蓄積する動作制御データ蓄積端末であって、
前記動作制御データを記憶する動作制御データ記憶手段と、前記動作制御データ記憶手段の動作制御データを前記コミュニケーション端末に提供する動作制御データ提供手段とを備え、
前記動作制御データ提供手段は、前記動作制御データの提供要求を受信したときは、受信した提供要求に係る動作制御データを前記動作制御データ記憶手段から読み出し、読み出した動作制御データを前記提供要求の送信元となるコミュニケーション端末に送信するようになっていることを特徴とする動作制御データ蓄積端末。
【手続補正１３】
【補正対象書類名】明細書
【補正対象項目名】請求項１４
【補正方法】変更
【補正の内容】
【請求項１４】
コミュニケーション端末として動作するコンピュータに実行させるための端末用プログラムであって、
動作可能な動作体を動作させたときの当該動作を検出する動作検出手段、前記動作検出手段の検出結果に基づいて前記動作体の動作を制御する動作制御データを生成する動作制御データ生成手段、並びに前記動作制御データ生成手段で生成した動作制御データを他の前記コミュニケーション端末に対して出力するデータ出力手段として実現される処理を実行させるためのプログラムであることを特徴とする端末用プログラム。
【手続補正１４】
【補正対象書類名】明細書
【補正対象項目名】請求項１５
【補正方法】変更
【補正の内容】
【請求項１５】
コミュニケーション端末として動作するコンピュータに実行させるための端末用プログラムであって、
動作可能な動作体の動作を制御する動作制御データを入力するデータ入力手段、及び前記データ入力手段で入力した動作制御データに基づいて前記動作体の動作を制御する動作体制御手段として実現される処理を実行させるためのプログラムであることを特徴とする端末用プログラム。
【手続補正１５】
【補正対象書類名】明細書
【補正対象項目名】請求項１６
【補正方法】変更
【補正の内容】
【請求項１６】
コミュニケーション端末として動作するコンピュータに実行させるための端末用プログラムであって、
動作可能な動作体の動作を制御する動作制御データを入力するデータ入力手段、及び前記データ入力手段で入力した動作制御データに基づいて仮想的に動作可能な仮想動作体の動作を制御する仮想動作体制御手段として実現される処理を実行させるためのプログラムであることを特徴とする端末用プログラム。
【手続補正１６】
【補正対象書類名】明細書
【補正対象項目名】請求項１７
【補正方法】変更
【補正の内容】
【請求項１７】
動作制御データ蓄積端末として動作するコンピュータに実行させるための端末用プログラムであって、
動作可能な動作体の動作を制御する動作制御データをコミュニケーション端末に提供する動作制御データ提供手段として実現される処理を実行させるためのプログラムであり、
前記動作制御データ提供手段は、前記動作制御データの提供要求を受信したときは、受信した提供要求に係る動作制御データを動作制御データ記憶手段から読み出し、読み出した動作制御データを前記提供要求の送信元となるコミュニケーション端末に送信するようになっていることを特徴とする端末用プログラム。
【手続補正１７】
【補正対象書類名】明細書
【補正対象項目名】請求項１８
【補正方法】変更
【補正の内容】
【請求項１８】
動作可能な動作体を有する複数のコミュニケーション端末を通信可能に接続し、前記コミュニケーション端末を用いて通信を行うコミュニケーション支援方法であって、
一方の前記コミュニケーション端末に対しては、
前記動作体を動作させたときの当該動作を検出する動作検出ステップと、前記動作検出ステップの検出結果に基づいて前記動作体の動作を制御する動作制御データを生成する動作制御データ生成ステップと、前記動作制御データ生成ステップで生成した動作制御データを他方の前記コミュニケーション端末に対して出力するデータ出力ステップとを含み、
前記他方のコミュニケーション端末に対しては、
前記動作制御データを入力するデータ入力ステップと、前記データ入力ステップで入力した動作制御データに基づいて前記動作体の動作を制御する動作体制御ステップとを含むことを特徴とするコミュニケーション支援方法。
【手続補正１８】
【補正対象書類名】明細書
【補正対象項目名】００１０
【補正方法】変更
【補正の内容】
【００１０】
【課題を解決するための手段】
〔発明１〕
上記目的を達成するために、発明１のコミュニケーション支援システムは、
複数のコミュニケーション端末を通信可能に接続し、前記コミュニケーション端末を用いて通信を行うコミュニケーション支援システムであって、
少なくともいずれかの前記コミュニケーション端末は、動作可能な動作体と、前記動作体を動作させたときの当該動作を検出する動作検出手段と、前記動作検出手段の検出結果に基づいて前記動作体の動作を制御する動作制御データを生成する動作制御データ生成手段と、前記動作制御データ生成手段で生成した動作制御データを他の前記コミュニケーション端末に対して出力するデータ出力手段と、前記動作制御データを入力するデータ入力手段と、前記データ入力手段で入力した動作制御データに基づいて前記動作体の動作を制御する動作体制御手段とを有することを特徴とする。
【手続補正１９】
【補正対象書類名】明細書
【補正対象項目名】００１１
【補正方法】変更
【補正の内容】
【００１１】
このような構成であれば、ユーザは、動作体を動かすと、動作検出手段により、動作体の動作が検出され。そして、動作制御データ生成手段により、動作検出手段の検出結果に基づいて動作制御データが生成され、データ出力手段により、生成された動作制御データが他のコミュニケーション端末に送信される。
【手続補正２０】
【補正対象書類名】明細書
【補正対象項目名】００１２
【補正方法】変更
【補正の内容】
【００１２】
他のコミュニケーション端末では、動作制御データをデータ入力手段により入力すると、動作体制御手段により、入力した動作制御データに基づいて動作体の動作が制御され。
ここで、動作制御データは、動作体の動作を制御する情報であればどのようなものであってもよく、これには、例えば、動作体の動作量を示す情報、または動作体の動作パターンをあらかじめ複数定義しておき、いずれかの動作パターンを特定する情報が含まれる。以下、発明１０ないし１２のコミュニケーション端末、発明１３の動作制御データ蓄積端末、発明１４ないし１７の端末用プログラム、および発明１８のコミュニケーション支援方法において同じである。
【手続補正２１】
【補正対象書類名】明細書
【補正対象項目名】００１３
【補正方法】変更
【補正の内容】
【００１３】
また、動作検出手段、動作制御データ生成手段、データ出力手段、データ入力手段および動作体制御手段は、その一部または全部を動作体と一体に設けてもよいし、動作体とは別体に設けてもよい。
また、コミュニケーション端末は、動作体のみで構成してもよいし、動作体および他の機器との組み合わせにより複合的に構成してもよい。前者の場合、動作制御データ生成手段、データ出力手段、データ入力手段および動作体制御手段を動作体と一体に設ける。後者の場合、例えば、それら手段の一部または全部を設けた通信端末と動作体とを通信可能に接続することにより構成することができる。
〔発明２〕
さらに、発明２のコミュニケーション支援システムは、発明１のコミュニケーション支援システムにおいて、
一方の前記コミュニケーション端末における前記動作体の動作タイミングと、他方の前記コミュニケーション端末における前記動作体の動作検出タイミングとを同期させるようになっていることを特徴とする。
【手続補正２２】
【補正対象書類名】明細書
【補正対象項目名】００１４
【補正方法】変更
【補正の内容】
【００１４】
このような構成であれば、通信の相手方となる一方のコミュニケーション端末における動作体の動作タイミングと、通信の相手方となる他方のコミュニケーション端末における動作体の動作検出タイミングとが同期する。すなわち、通信の相手方となる一方のコミュニケーション端末では、通信の相手方となる他方が動作体を動かしたタイミングと同期したタイミングで、動作体が動作する。
〔発明３〕
さらに、発明３のコミュニケーション支援システムは、発明１および２のいずれかのコミュニケーション支援システムにおいて、
少なくともいずれかの前記コミュニケーション端末は、仮想的に動作可能な仮想動作体を表示する動作体表示手段を有し、
前記動作体制御手段は、前記データ入力手段で入力した動作制御データに基づいて、前記動作体の動作と同一の動作または連動した動作となるように前記仮想動作体の動作を制御するようになっていることを特徴とする。
【手続補正２３】
【補正対象書類名】明細書
【補正対象項目名】００１５
【補正方法】変更
【補正の内容】
【００１５】
このような構成であれば、コミュニケーション端末では、動作制御データを入力すると、動作体制御手段により、動作体の動作が制御されるほか、入力した動作制御データに基づいて、動作体の動作と同一の動作または連動した動作となるように仮想動作体の動作が制御される。
〔発明４〕
さらに、発明４のコミュニケーション支援システムは、発明３のコミュニケーション支援システムにおいて、
前記動作体制御手段は、前記動作制御データ生成手段で生成した動作制御データに基づいて第１仮想動作体の動作を制御するとともに、前記データ入力手段で入力した動作制御データに基づいて、前記動作体の動作と同一の動作または連動した動作となるように第２仮想動作体の動作を制御するようになっていることを特徴とする。
【手続補正２４】
【補正対象書類名】明細書
【補正対象項目名】００１６
【補正方法】変更
【補正の内容】
【００１６】
このような構成であれば、コミュニケーション端末では、動作制御データを入力すると、動作体制御手段により、生成された動作制御データに基づいて第１仮想動作体の動作が制御されるとともに、入力した動作制御データに基づいて、動作体の動作と同一の動作または連動した動作となるように第２仮想動作体の動作が制御される。
〔発明５〕
さらに、発明５のコミュニケーション支援システムは、発明３および４のいずれかのコミュニケーション支援システムにおいて、
前記動作体表示手段は、前記仮想動作体を平面的に表示する２Ｄディスプレイおよび前記仮想動作体を立体的に表示する３Ｄディスプレイのうちいずれかであることを特徴とする。
【手続補正２５】
【補正対象書類名】明細書
【補正対象項目名】００１７
【補正方法】変更
【補正の内容】
【００１７】
このような構成であれば、２Ｄディスプレイまたは３Ｄディスプレイにおいて仮想動作体が平面的または立体的に表示される。
〔発明６〕
さらに、発明６のコミュニケーション支援システムは、発明１ないし５のいずれかのコミュニケーション支援システムにおいて、
前記コミュニケーション端末は、前記コミュニケーション端末の動作体の種別を判定する動作体種別判定手段と、前記動作体種別判定手段の判定結果に基づいて前記データ入力手段で入力した動作制御データを変換する動作制御データ変換手段とを有し、
前記動作制御データ変換手段は、前記動作体種別判定手段の判定結果に基づいて、前記コミュニケーション端末の動作体の種別と、本コミュニケーション端末の動作体の種別とが異なると判定したときは、前記データ入力手段で入力した動作制御データを、本コミュニケーション端末の動作体用の動作制御データに変換するようになっていることを特徴とする。
【手続補正２６】
【補正対象書類名】明細書
【補正対象項目名】００１８
【補正方法】変更
【補正の内容】
【００１８】
このような構成であれば、コミュニケーション端末では、動作制御データを入力すると、動作体種別判定手段により、通信の相手方となるコミュニケーション端末の動作体の種別が判定される。そして、その判定結果に基づいて、通信の相手方となるコミュニケーション端末の動作体の種別と、本コミュニケーション端末の動作体の種別とが異なると判定されると、動作制御データ変換手段により、入力した動作制御データが本コミュニケーション端末の動作体用の動作制御データに変換され、動作体制御手段により、変換された動作制御データに基づいて動作体の動作が制御される。
〔発明７〕
さらに、発明７のコミュニケーション支援システムは、発明１ないし５のいずれかのコミュニケーション支援システムにおいて、
前記コミュニケーション端末は、前記コミュニケーション端末の動作体の種別を判定する動作体種別判定手段と、前記動作体種別判定手段の判定結果に基づいて前記動作制御データ生成手段で生成した動作制御データを変換する動作制御データ変換手段とを有し、
前記動作制御データ変換手段は、前記動作体種別判定手段の判定結果に基づいて、前記コミュニケーション端末の動作体の種別と、本コミュニケーション端末の動作体の種別とが異なると判定したときは、前記動作制御データ生成手段で生成した動作制御データを、前記コミュニケーション端末の動作体用の動作制御データに変換するようになっていることを特徴とする。
【手続補正２７】
【補正対象書類名】明細書
【補正対象項目名】００１９
【補正方法】変更
【補正の内容】
【００１９】
このような構成であれば、コミュニケーション端末では、動作体種別判定手段により、通信の相手方となるコミュニケーション端末の動作体の種別が判定される。そして、その判定結果に基づいて、通信の相手方となるコミュニケーション端末の動作体の種別と、本コミュニケーション端末の動作体の種別とが異なると判定されると、動作制御データ変換手段により、生成された動作制御データが通信の相手方となるコミュニケーション端末の動作体用の動作制御データに変換され、データ出力手段により、変換された動作制御データが他のコミュニケーション端末に送信される。
〔発明８〕
さらに、発明８のコミュニケーション支援システムは、発明６および７のいずれかのコミュニケーション支援システムにおいて、
特定種別の動作体用の前記動作制御データと前記特定種別とは異なる種別の動作体用の前記動作制御データとを対応付けた動作制御データ変換テーブルを記憶した変換テーブル記憶手段を備え、
前記動作制御データ変換手段は、前記変換テーブル記憶手段の動作制御データ変換テーブルを参照して前記動作制御データを変換するようになっていることを特徴とする。
【手続補正２８】
【補正対象書類名】明細書
【補正対象項目名】００２０
【補正方法】変更
【補正の内容】
【００２０】
このような構成であれば、動作制御データ変換手段により、変換テーブル記憶手段の動作制御データ変換テーブルが参照されて動作制御データが変換される。
ここで、変換テーブル記憶手段は、コミュニケーション端末に設けてもよいが、これに限らず、コミュニケーション端末以外の他の端末に設けてもよい。後者の場合、例えば、データベースサーバやネットワークストレージとして構成することができる。
〔発明９〕
さらに、発明９のコミュニケーション支援システムは、発明１ないし８のいずれかのコミュニケーション支援システムにおいて、
前記動作制御データを蓄積する動作制御データ蓄積端末を通信可能に接続し、
前記動作制御データ蓄積端末は、前記動作制御データを記憶する動作制御データ記憶手段と、前記動作制御データ記憶手段の動作制御データを前記コミュニケーション端末に提供する動作制御データ提供手段とを有し、
前記動作制御データ提供手段は、前記動作制御データの提供要求を受信したときは、受信した提供要求に係る動作制御データを前記動作制御データ記憶手段から読み出し、読み出した動作制御データを前記提供要求の送信元となるコミュニケーション端末に送信するようになっており、
前記コミュニケーション端末は、前記動作制御データ蓄積端末から前記動作制御データを取得する動作制御データ取得手段を有し、
前記データ出力手段は、前記動作制御データ取得手段で取得した動作制御データを他の前記コミュニケーション端末に送信するようになっていることを特徴とする。
【手続補正２９】
【補正対象書類名】明細書
【補正対象項目名】００２２
【補正方法】変更
【補正の内容】
【００２２】
コミュニケーション端末では、動作制御データを受信すると、データ出力手段により、受信した動作制御データが他のコミュニケーション端末に送信される。
〔発明１０〕
一方、上記目的を達成するために、発明１０のコミュニケーション端末は、
コミュニケーション端末と通信を行うコミュニケーション端末であって、
動作可能な動作体と、前記動作体を動作させたときの当該動作を検出する動作検出手段と、前記動作検出手段の検出結果に基づいて前記動作体の動作を制御する動作制御データを生成する動作制御データ生成手段と、前記動作制御データ生成手段で生成した動作制御データを他の前記コミュニケーション端末に対して出力するデータ出力手段とを備えることを特徴とする。
【手続補正３０】
【補正対象書類名】明細書
【補正対象項目名】００２３
【補正方法】変更
【補正の内容】
【００２３】
このような構成であれば、ユーザは、動作体を動かすと、動作検出手段により、動作体の動作が検出されるとともに。そして、動作制御データ生成手段により、動作検出手段の検出結果に基づいて動作制御データが生成され、データ出力手段により、生成された動作制御データが他のコミュニケーション端末に送信される。
【手続補正３１】
【補正対象書類名】明細書
【補正対象項目名】００２４
【補正方法】変更
【補正の内容】
【００２４】
他のコミュニケーション端末では、動作制御データをデータ入力手段により入力すると、動作体制御手段により、入力した動作制御データに基づいて動作体の動作が制御され。
ここで、動作検出手段、動作制御データ生成手段、およびデータ出力手段は、その一部または全部を動作体と一体に設けてもよいし、動作体とは別体に設けてもよい。以下、発明１４の端末用プログラムにおいて同じである。
【手続補正３２】
【補正対象書類名】明細書
【補正対象項目名】００２５
【補正方法】変更
【補正の内容】
【００２５】
また、コミュニケーション端末は、動作体のみで構成してもよいし、動作体および他の機器との組み合わせにより複合的に構成してもよい。前者の場合、動作制御データ生成手段、およびデータ出力手段を動作体と一体に設ける。後者の場合、例えば、それら手段の一部または全部を設けた通信端末と動作体とを通信可能に接続することにより構成することができる。以下、発明１４の端末用プログラムにおいて同じである。
〔発明１１〕
さらに、発明１１のコミュニケーション端末は、
コミュニケーション端末と通信を行うコミュニケーション端末であって、
動作可能な動作体と、前記動作体の動作を制御する動作制御データを入力するデータ入力手段と、前記データ入力手段で入力した動作制御データに基づいて前記動作体の動作を制御する動作体制御手段とを備えることを特徴とする。
【手続補正３３】
【補正対象書類名】明細書
【補正対象項目名】００２６
【補正方法】変更
【補正の内容】
【００２６】
このような構成であれば、動作制御データをデータ入力手段により入力すると、動作体制御手段により、入力した動作制御データに基づいて動作体の動作が制御される。
ここで、データ入力手段、動作体制御手段は、その一部または全部を動作体と一体に設けてもよいし、動作体とは別体に設けてもよい。以下、発明１５の端末用プログラムにおいて同じである。
【手続補正３４】
【補正対象書類名】明細書
【補正対象項目名】００２７
【補正方法】変更
【補正の内容】
【００２７】
また、コミュニケーション端末は、動作体のみで構成してもよいし、動作体および他の機器との組み合わせにより複合的に構成してもよい。前者の場合、データ入力手段および動作体制御手段を動作体と一体に設ける。後者の場合、例えば、それら手段の一部または全部を設けた通信端末と動作体とを通信可能に接続することにより構成することができる。以下、発明１５の端末用プログラムにおいて同じである。
〔発明１２〕
さらに、発明１２のコミュニケーション端末は、
コミュニケーション端末と通信を行うコミュニケーション端末であって、
仮想的に動作可能な仮想動作体を表示する動作体表示手段と、動作可能な動作体の動作を制御する動作制御データを入力するデータ入力手段と、前記データ入力手段で入力した動作制御データに基づいて前記仮想動作体の動作を制御する仮想動作体制御手段とを備えることを特徴とする。
【手続補正３５】
【補正対象書類名】明細書
【補正対象項目名】００２８
【補正方法】変更
【補正の内容】
【００２８】
このような構成であれば、動作制御データをデータ入力手段により入力すると、動作体制御手段により、入力した動作制御データに基づいて仮想動作体の動作が制御される。
ここで、データ入力手段、仮想動作体制御手段は、その一部または全部を動作体表示手段と一体に設けてもよいし、動作体表示手段とは別体に設けてもよい。以下、発明１６の端末用プログラムにおいて同じである。
【手続補正３６】
【補正対象書類名】明細書
【補正対象項目名】００２９
【補正方法】変更
【補正の内容】
【００２９】
また、コミュニケーション端末は、動作体表示手段のみで構成してもよいし、動作体表示手段および他の機器との組み合わせにより複合的に構成してもよい。前者の場合、データ入力手段および仮想動作体制御手段を動作体表示手段と一体に設ける。後者の場合、例えば、それら手段の一部または全部を設けた通信端末と動作体表示手段とを通信可能に接続することにより構成することができる。以下、発明１６の端末用プログラムにおいて同じである。
〔発明１３〕
一方、上記目的を達成するために、発明１３の動作制御データ蓄積端末は、
コミュニケーション端末と通信可能に接続し、動作可能な動作体の動作を制御する動作制御データを蓄積する動作制御データ蓄積端末であって、
前記動作制御データを記憶する動作制御データ記憶手段と、前記動作制御データ記憶手段の動作制御データを前記コミュニケーション端末に提供する動作制御データ提供手段とを備え、
前記動作制御データ提供手段は、前記動作制御データの提供要求を受信したときは、受信した提供要求に係る動作制御データを前記動作制御データ記憶手段から読み出し、読み出した動作制御データを前記提供要求の送信元となるコミュニケーション端末に送信するようになっていることを特徴とする。
【手続補正３７】
【補正対象書類名】明細書
【補正対象項目名】００３０
【補正方法】変更
【補正の内容】
【００３０】
このような構成であれば、動作制御データの提供要求を受信すると、動作制御データ提供手段により、受信した提供要求に係る動作制御データが動作制御データ記憶手段から読み出され、読み出された動作制御データが提供要求の送信元となるコミュニケーション端末に送信される。
〔発明１４〕
一方、上記目的を達成するために、発明１４の端末用プログラムは、
コミュニケーション端末として動作するコンピュータに実行させるための端末用プログラムであって、
動作可能な動作体を動作させたときの当該動作を検出する動作検出手段、前記動作検出手段の検出結果に基づいて前記動作体の動作を制御する動作制御データを生成する動作制御データ生成手段、並びに前記動作制御データ生成手段で生成した動作制御データを他の前記コミュニケーション端末に対して出力するデータ出力手段として実現される処理を実行させるためのプログラムであることを特徴とする。
【手続補正３８】
【補正対象書類名】明細書
【補正対象項目名】００３１
【補正方法】変更
【補正の内容】
【００３１】
このような構成であれば、コミュニケーション端末によってプログラムが読み取られ、読み取られたプログラムに従ってコミュニケーション端末が処理を実行すると、発明１０のコミュニケーション端末と同等の作用が得られる。
〔発明１５〕
さらに、発明１５の端末用プログラムは、
コミュニケーション端末として動作するコンピュータに実行させるための端末用プログラムであって、
動作可能な動作体の動作を制御する動作制御データを入力するデータ入力手段、および前記データ入力手段で入力した動作制御データに基づいて前記動作体の動作を制御する動作体制御手段として実現される処理を実行させるためのプログラムであることを特徴とする。
【手続補正３９】
【補正対象書類名】明細書
【補正対象項目名】００３２
【補正方法】変更
【補正の内容】
【００３２】
このような構成であれば、コミュニケーション端末によってプログラムが読み取られ、読み取られたプログラムに従ってコミュニケーション端末が処理を実行すると、発明１１のコミュニケーション端末と同等の作用が得られる。
〔発明１６〕
さらに、発明１６の端末用プログラムは、
コミュニケーション端末として動作するコンピュータに実行させるための端末用プログラムであって、
動作可能な動作体の動作を制御する動作制御データを入力するデータ入力手段、および前記データ入力手段で入力した動作制御データに基づいて仮想的に動作可能な仮想動作体の動作を制御する仮想動作体制御手段として実現される処理を実行させるためのプログラムであることを特徴とする。
【手続補正４０】
【補正対象書類名】明細書
【補正対象項目名】００３３
【補正方法】変更
【補正の内容】
【００３３】
このような構成であれば、コミュニケーション端末によってプログラムが読み取られ、読み取られたプログラムに従ってコミュニケーション端末が処理を実行すると、発明１２のコミュニケーション端末と同等の作用が得られる。
〔発明１７〕
さらに、発明１７の端末用プログラムは、
動作制御データ蓄積端末として動作するコンピュータに実行させるための端末用プログラムであって、
動作可能な動作体の動作を制御する動作制御データをコミュニケーション端末に提供する動作制御データ提供手段として実現される処理を実行させるためのプログラムであり、
前記動作制御データ提供手段は、前記動作制御データの提供要求を受信したときは、受信した提供要求に係る動作制御データを動作制御データ記憶手段から読み出し、読み出した動作制御データを前記提供要求の送信元となるコミュニケーション端末に送信するようになっていることを特徴とする。
【手続補正４１】
【補正対象書類名】明細書
【補正対象項目名】００３４
【補正方法】変更
【補正の内容】
【００３４】
このような構成であれば、動作制御データ蓄積端末によってプログラムが読み取られ、読み取られたプログラムに従って動作制御データ蓄積端末が処理を実行すると、発明１３の動作制御データ蓄積端末と同等の作用が得られる。
〔発明１８〕
一方、上記目的を達成するために、発明１８のコミュニケーション支援方法は、
動作可能な動作体を有する複数のコミュニケーション端末を通信可能に接続し、前記コミュニケーション端末を用いて通信を行うコミュニケーション支援方法であって、
一方の前記コミュニケーション端末に対しては、
前記動作体を動作させたときの当該動作を検出する動作検出ステップと、前記動作検出ステップの検出結果に基づいて前記動作体の動作を制御する動作制御データを生成する動作制御データ生成ステップと、前記動作制御データ生成ステップで生成した動作制御データを他方の前記コミュニケーション端末に対して出力するデータ出力ステップとを含み、
前記他方のコミュニケーション端末に対しては、
前記動作制御データを入力するデータ入力ステップと、前記データ入力ステップで入力した動作制御データに基づいて前記動作体の動作を制御する動作体制御ステップとを含むことを特徴とする。
【手続補正４２】
【補正対象書類名】明細書
【補正対象項目名】００６７
【補正方法】変更
【補正の内容】
【００６７】
また、上記第１の実施の形態において、ステップＳ１１２は、発明１、１０若しくは１４のデータ出力手段、または発明１８のデータ出力ステップに対応し、ステップＳ１５６は、発明１、１１若しくは１５のデータ入力手段、または発明１８のデータ入力ステップに対応している。また、ステップＳ１５８は、発明１、１１若しくは１５の音声出力手段、または発明１８の音声出力ステップに対応し、ステップＳ１６０は、発明１、１１若しくは１５の動作体制御手段、または発明１８の動作体制御ステップに対応している。
【手続補正４３】
【補正対象書類名】明細書
【補正対象項目名】００７９
【補正方法】変更
【補正の内容】
【００７９】
また、上記第２の実施の形態において、ステップＳ１１０は、発明１、１０若しくは１４の動作制御データ生成手段、または発明１８の動作制御データ生成ステップに対応し、ステップＳ１１２は、発明１、１０若しくは１４のデータ出力手段、または発明１８のデータ出力ステップに対応している。また、ステップＳ１５６は、発明１、６、１１若しくは１５のデータ入力手段、または発明１８のデータ入力ステップに対応し、ステップＳ１５８は、発明１、１１若しくは１５の音声出力手段、または発明１８の音声出力ステップに対応している。
【手続補正４４】
【補正対象書類名】明細書
【補正対象項目名】００８９
【補正方法】変更
【補正の内容】
【００８９】
また、上記第３の実施の形態において、ステップＳ１１２は、発明１、１０若しくは１４のデータ出力手段、または発明１８のデータ出力ステップに対応し、ステップＳ１５６は、発明１、１１若しくは１５のデータ入力手段、または発明１８のデータ入力ステップに対応している。また、ステップＳ１５８は、発明１、１１若しくは１５の音声出力手段、または発明１８の音声出力ステップに対応し、ステップＳ１６０は、発明１、１１若しくは１５の動作体制御手段、または発明１８の動作体制御ステップに対応している。
【手続補正４５】
【補正対象書類名】明細書
【補正対象項目名】０１０４
【補正方法】変更
【補正の内容】
【０１０４】
また、上記第４の実施の形態において、ステップＳ１１０は、発明１、１０若しくは１４の動作制御データ生成手段、または発明１８の動作制御データ生成ステップに対応し、ステップＳ１１２は、発明１、１０若しくは１４のデータ出力手段、または発明１８のデータ出力ステップに対応している。また、ステップＳ１５６は、発明１、３、１１、１２、１５若しくは１６のデータ入力手段、または発明１８のデータ入力ステップに対応し、ステップＳ１５８は、発明１、１１、１２、１５若しくは１６の音声出力手段、または発明１８の音声出力ステップに対応している。
【手続補正４６】
【補正対象書類名】明細書
【補正対象項目名】０１１５
【補正方法】変更
【補正の内容】
【０１１５】
また、上記第５の実施の形態において、ステップＳ１１０は、発明１、１０若しくは１４の動作制御データ生成手段、または発明１８の動作制御データ生成ステップに対応し、ステップＳ１１２は、発明１、１０若しくは１４のデータ出力手段、または発明１８のデータ出力ステップに対応している。また、ステップＳ１５６は、発明１、３、１１、１２、１５若しくは１６のデータ入力手段、または発明１８のデータ入力ステップに対応し、ステップＳ１５８は、発明１、１１、１２、１５若しくは１６の音声出力手段、または発明１８の音声出力ステップに対応している。
【手続補正４７】
【補正対象書類名】明細書
【補正対象項目名】０１３４
【補正方法】変更
【補正の内容】
【０１３４】
また、上記第６の実施の形態において、ステップＳ１０６は、発明１、９、１０若しくは１４の音声入力手段、または発明１８の音声入力ステップに対応し、ステップＳ１０８は、発明１、１０若しくは１４の動作検出手段、または発明１８の動作検出ステップに対応している。また、ステップＳ１１０は、発明１、１０若しくは１４の動作制御データ生成手段、または発明１８の動作制御データ生成ステップに対応し、ステップＳ１１２は、発明１、９、１０若しくは１４のデータ出力手段、または発明１８のデータ出力ステップに対応している。
【手続補正４８】
【補正対象書類名】明細書
【補正対象項目名】０１３５
【補正方法】変更
【補正の内容】
【０１３５】
また、上記第６の実施の形態において、ステップＳ１５６は、発明１、３、１１、１２、１５若しくは１６のデータ入力手段、または発明１８のデータ入力ステップに対応し、ステップＳ１５８は、発明１、１１、１２、１５若しくは１６の音声出力手段、または発明１８の音声出力ステップに対応している。また、ステップＳ１６０は、発明１、３、１１、１２、１５若しくは１６の動作体制御手段、または発明１８の動作体制御ステップに対応し、ステップＳ５００〜Ｓ５０８は、発明９、１３または１７の動作制御データ提供手段に対応している。
【手続補正４９】
【補正対象書類名】明細書
【補正対象項目名】０１４４
【補正方法】変更
【補正の内容】
【０１４４】
また、上記第７の実施の形態において、ステップＳ１０８は、発明１、１０若しくは１４の動作検出手段、または発明１８の動作検出ステップに対応し、ステップＳ１１０は、発明１、４、１０若しくは１４の動作制御データ生成手段、または発明１８の動作制御データ生成ステップに対応している。また、ステップＳ１１２は、発明１、１０若しくは１４のデータ出力手段、または発明１８のデータ出力ステップに対応し、ステップＳ１５６は、発明１、３、４、１１、１２、１５若しくは１６のデータ入力手段、または発明１８のデータ入力ステップに対応している。